(57)【特許請求の範囲】
【請求項１】
「頂面の中央部に空気孔(2)を有し、且つ当該頂面部位と周側面部位に流入孔(3)を有する逆わん型のストレーナ(1)の下部周縁に花冠部(4)を成形し、且つその花冠部の下端部位に突起部(40)を成形すると共に、その突起部の両隣に複数の流入凹部(5)を設け、ストレーナの内面頂部に前記空気孔に連通する空気抜きパイプ(6)を結合し、そのパイプ上部の周面に複数の脚バネ(7)を末広がり状態になるように取付け、その脚バネの端末部位を窄めて排水用内筒(8)に挿入すると共に、排水パイプ(10)の内面に接合掛止するようにしたことを特徴とする排水時のオーバーフロー防止用ドレン。」
【発明の詳細な説明】
【０００１】
【産業上の利用分野】
本発明は排水時のオ−バ−フロ−防止用ドレンに関するもので、一般住宅のベランダや浴場等において、排水パイプに一気に流入した際、排水パイプ内に滞留している空気の抵抗によって排水がパイプ内に飲み込みきれない場合に、その排水パイプ内に滞留している空気を抜いて多量の排水を速やかに行えるようにし、且つ排水時に床面に載置されているストレ−ナの下端周面に接したゴミが天秤作用で負荷がかかる方向に確実に傾いて流入口から排水パイプ内に流れ込めるようにしたことを目的とする。
【０００２】
【従来の技術】
本願の出願人は実公平５−１９４５０号の公報において、防水シ−トを使用したドレンの考案を提供した。その考案にあっては、防水シ−トが内外の排水用筒のフランジに強固に挟持されて防水機能を発揮される。また、内外の筒は雄ねじと雌ねじもロ−ル成形等の機械加工によって簡単且つ確実に成形できる効果がある。
【０００３】
【発明が解決しようとする課題】
ところが、上記のドレンにあっても、排水が目皿を通って内筒及び排水パイプに流入する場合に、前記の排水パイプの中に滞留している空気によって排水がその空気の滞留位置から先は流れ込みできない状態になる。また、排水中に混在しているゴミがある場合には、目皿を覆って目詰まりをして排水機能が発揮できないことが往々にしてあった。
【０００４】
【課題を解決するための手段】
そこで、上記従来のドレンの不都合を解消し、且つ本発明の目的を達成するために提供するものである。本発明は、排水時のオーバーフロー防止用ドレンにおいて、頂面の中央部に空気孔を有し、且つ当該頂面部位と周側面部位に流入孔を有する逆わん型のストレーナの下部周縁に花冠部を成形し、且つその花冠部の下端部位に突起部を成形すると共に、その突起部の両隣に複数の流入凹部を設け、ストレーナの内面頂部に前記空気孔に連通する空気抜きパイプを結合し、そのパイプ上部の周面に複数の脚バネを末広がり状態なるように取付け、その脚バネの端末部位を窄めて排水用内筒に挿入すると共に、排水パイプの内面に接合掛止するようにしたものである。
【０００５】
【実施例】
図において、１は略逆わん型のストレ−ナであり、その頂面11及び周側面12に複数の流入孔３を成形してある。前記ストレ−ナの高さＨは、任意であるが、ある程度の多量の排水があっても頂面が冠水しない程度を可とし、図示例にあっては3.0cｍに設定してある。
２はストレ−ナ頂面11の中央部にあけた空気孔であり、ストレ−ナの内側の頂面部位に孔付き突起軸部21をストレ−ナ１と一体に成形し、且つ前記の空気孔２を連通すると共に、当該突起軸部の下端部位に空気抜きパイプを結合するためのねじ孔22をあけてある。
３はストレ−ナ１の頂面において、空気孔を避けた位置及び側周面にあけた複数の排水流入孔である。
４は花冠部であり、ストレ−ナ１の下端周縁に沿って成形した花片41〜4nが集合して形成してあり、図示例は八弁形を示してある。
５は逆Ｕ字形の流入凹部であり、前記花冠部４の下端に成形した突起40を挟んだ両隣に複数の排水兼小片ゴミが流入できるようになっている。
６はシャフト形の空気抜きパイプであり、その上端部位をストレ−ナ１の突起軸部21のねじ孔22に結合してある。なお、前記の空気抜きパイプの長さＬは、後述の排水パイプ長さに関係するが、少なくとも排水パイプ10の長さより短く設定するものとし、図示例は 30cｍ程度に設定してある。
７は空気抜きパイプ６の上部に設けた複数の脚バネであり、細幅のバネ板の基部を鋲で固着し、端末が末広がり状態になるように形成してある。
８はフランジ81を有する内筒、９は床構成体ａに設置するフランジ91を有する外筒であり、内外の両筒８・９は各々の筒部にロ−ル成形等によって雄ねじ82と雌ねじ92の筒部に嵌合して、当該両フランジで防水シ−トｂを強固に挟持して防水平面ｄを形成してある。
10は排水パイプであって、その上端部位を外筒８の雌ねじ92を有する筒部に嵌合固着してある。
11は回し締め用の掛合片であり、内筒８のフランジ81の平面の複数個所に突起状に成形してある。
なお、前記のストレ−ナ１及び空気抜きパイプ６は、非鉄金属材料を可とし、且つバネ脚７は金属材料を可とするが、合成樹脂材料でも製造は可能である。
【０００６】
【具体的な工程例】
本発明の実施例に基づく具体的な施工例を説明する。まず、床構成体ａの開口ｃに外筒９を嵌め込み、そのフランジ91を床構成体の平面に圧接して固定する。次に、前記のフランジ91の上に開口b1を有する防水シ−トｂを張り、その上から内筒８を開口b1を通して外筒９にねじ込みながら挿入して前記防水シ−トを両フランジ81・91で強固に挟持すると共に、内外の筒同士を螺合して固着する。
そして、ストレ−ナ１の空気孔付き突起軸部21に結合している空気抜きパイプ６を内筒８に挿入する際に脚バネ７の末広がり状態の端末部位を窄めて内筒８内にストレ−ナ１の下端が内筒のフランジ面81に当たるまで押し込む。
【０００７】
この状態で排水が行われる場合は、汚水がストレ−ナ１の排水流入孔３から内筒８に入り込み、排水パイプ10を通って所定の外部に排出される。
この場合、多量の排水が一気にストレ−ナ１に流入した場合は、排水パイプ10の途中に滞留している空気があると、その空気によって汚水の流れが滞ることによって防水シ−ト平面ｄに汚水が溢れ出てしまうが、空気抜きパイプ６の下端61から空気が上昇してストレ−ナ頂面の空気孔２から排水パイプ10に滞留していた空気が大気中に吐き出される。この空気の放出によって多量の排水は前記のパイプ10を通じて排水出口に向かって流れ出す。
【０００８】
排水しようとする汚水の中に小片のゴミが混ざっている場合において、ストレ−ナ１の花冠部４に小片ゴミが接触する際、流入凹部５がある部位はその凹部から中に入り込む。そして、花冠部の突起部40に接触すると、その突起部に天秤作用が働き、荷重の係る方向に傾いて突起部40を挟んで左右いずれかの流入凹部５から中に入り込んでいく。
【０００９】
【発明の効果】
本発明は上記の構成であるから、ストレ−ナから排水パイプに多量の排水が一気に流入する際に排水パイプ内に滞留している空気の抵抗によって通常では飲み込みきれない流れが止まるような場合であっても、排水パイプ内の残留空気は空気抜きパイプの下端口から入り込んでストレ−ナの頂部の空気孔から外部に吐き出される。これによって、以後は大量の汚水が一気に排水することができる。
また、ストレ−ナの下部周囲の花冠部を成形してあるので、排水時に汚水と混在している小片ゴミがストレ−ナの下端周面に達し、且つ花冠部の突起部に接触したときには、天秤作用で荷重がかかる片側方向に傾いて当該突起を挟んで両側の流入口から排水パイプ内に入り込み、汚水と一緒に排水される効果があり、ストレ−ナの目詰まりがなくなり、この種の排水時のオ−バ−フロ−防止用ドレンとして新規有益である。
【図面の簡単な説明】
【図１】  本発明に係る排水時のオ−バ−フロ−防止用ドレンの平面図である。
【図２】  図１の底面図である。
【図３】  図１の３−３線に沿う縮小断面図である。
【図４】  図３の拡大断面図である。
【符号の説明】
１  ストレ−ナ
２  空気孔
３  排水流通孔
４  花冠部
５  ゴミ流入凹部
６  空気抜きパイプ
７  脚バネ
８  排水用内筒
９  排水用外筒
10  排水パイプ
11  掛合片
ａ  床構成体
ｂ  床の防水シ−ト
ｃ  床構成体の開口
【図１】
0003749360.tif 000002
【図２】
0003749360.tif 000003
【図３】
0003749360.tif 000004
【図４】
0003749360.tif 000005